【事件の表示】
　特願２００８−　５５２６１「浴槽自動洗浄システム」拒絶査定不服審判事件〔平成２１年　９月１７日出願公開、特開２００９−２０７７５３〕について、次のとおり審決する。
【結　論】
　本件審判の請求は、成り立たない。
【理　由】
第１　手続の経緯
　本願は，平成２０年３月５日の出願であって，平成２３年１月１３日付けで拒絶査定がなされ，これに対し，同年４月５日に拒絶査定に対する審判請求がなされると共に，同時に手続補正がなされた。
　その後，平成２３年９月７日付けで，審判請求人に前置報告書の内容を示し意見を求めるための審尋を行ったところ，同年１１月４日付けで回答書が提出されたものである。　
　
第２　本願発明
　本願の請求項１に係る発明は，平成２３年４月５日付けの手続補正により補正された特許請求の範囲の請求項１に記載された事項により特定される次のとおりのものである。　
　「浴槽内に設けた洗浄ノズルに接続する洗浄管を上水道からの水を熱交換加熱して給湯栓で給湯使用される熱源機に接続し、上記熱源機側から供給される湯又は水に洗剤を混合した洗剤液を上記洗浄ノズルから浴槽内に向けて噴射させる洗剤洗浄工程と、上記湯又は水を上記洗浄ノズルから浴槽内に向けて噴射させるすすぎ工程とを含む浴槽洗浄運転を行う浴槽自動洗浄システムにおいて、
　上記洗浄管には、洗浄管の流路を開閉するための開閉弁と、洗浄管を流れる湯又は水の流量を設定するための水量制御弁と、洗浄管を流れる湯又は水の流量を計測するための水量センサとが設けられ、
　上記給湯栓が開かれ他栓使用されることにより、上記水量センサの計測流量が浴槽洗浄運転に必要な流量として設定される洗浄流量未満となった場合は、上記水量制御弁の開度を大きくして水量センサの計測流量が上記洗浄流量となるときは上記他栓使用と上記浴槽洗浄運転を同時に行うように制御する制御手段が設けられ、
　上記制御手段は、上記水量制御弁を最大開度にしても上記水量センサの計測流量が上記洗浄流量未満であるときは上記開閉弁を閉じて上記浴槽洗浄運転を待機させ、この浴槽洗浄運転を待機している間は、上記熱源機において上水道から流入される水の流量を計測するために設けられた熱源水量センサの計測流量を監視して、この熱源水量センサの計測流量が設定流量未満に減少した時点で、上記開閉弁を開いて浴槽洗浄運転を再開させて他栓使用と浴槽洗浄運転を同時に行わせるように制御する構成とし、
　上記設定流量は、上記他栓使用されていても浴槽洗浄に必要な最小限の流量の湯又は水が上記洗浄管に供給できるようになる上記給湯栓での湯又は水の使用量である浴槽自動洗浄システム。」（以下「本願発明」という。） 
 　　　　　 
第３　引用刊行物
（１）刊行物１
　原査定の拒絶の理由に引用され，本願出願前に頒布された刊行物である，特開平１１−２９９６７１号公報（以下，「刊行物１」という。）には，以下の記載がある。（下線は，当審にて付与。）
（１ａ）「【請求項１】　浴槽に設けたノズルから、湯水または洗浄液を浴槽内に噴射して浴槽を洗浄する自動洗浄浴槽において、上水側からの湯水を導く入水接続手段と、湯水と洗剤とを混合する洗剤混合手段と、上水側からの湯水を洗剤混合手段の上流で所定流量に制御する流量制御手段と、洗剤供給路を開閉する開閉手段と、浴槽洗浄動作を制御する洗浄コントローラとを設けたことを特徴とする自動洗浄浴槽。
【請求項２】　前記洗剤混合手段と、流量制御手段と、開閉手段と、洗浄コントローラとを一体的に取り付け、洗浄ユニットを構成したことを特徴とする請求項１記載の自動洗浄浴槽。
【請求項３】　省略。
【請求項４】　流量制御手段は、水量調整弁あるいは定流量弁であることを特徴とする請求項１乃至請求項３記載の自動洗浄浴槽。」
　
（１ｂ）「【００１４】図１において、自動風呂装置１は、自動洗浄浴槽２を含むとともに、給湯器付風呂釜２０、洗浄ユニット６０、縁切りユニット８０、およびこれらの各部の全体動作を制御するコントローラ１００を備える。給湯器付風呂釜２０は、給湯回路３０、追焚回路５０、および風呂落込回路７０を有する。
【００１５】
給湯回路３０は、上水道からの入水を沸かして自動洗浄浴槽２やカラン４１などに給湯するためのものであって
出湯路３３は縁切りユニット８０、洗浄ユニット６０を介して、洗浄ノズル４ａに連通する洗浄配管１８ａとすすぎノズル４ｂに連通するすすぎ配管１８ｂに接続されてい
　
（１ｃ）「【００１８】縁切りユニット８０は、上水側からの湯水を洗浄ユニット６０へ導くために、浴槽２の外周壁の洗い場側に取り付けられ、
出湯路３３から洗浄ユニット６０への湯水の供給量を検出する水量センサ８１と、電磁弁８２
を備えている
【００１９】洗浄ユニット６０は、浴槽２の外周壁の洗い場側に取り付けられ、縁切りユニット８０を介して
出湯路３３から供給される湯水の流量を制御する水量サーボ弁６５と
　
（１ｄ）「【００２４】次に、上記構成の自動風呂装置において、浴槽洗浄を実行する場合の動作を主体に、図６に示すフローチャートを参照して説明する。
【００２５】いま、たとえば、台所リモコン装置１０２のいずれかの洗浄用のスイッチ１０７または１０８が操作されると（ステップ１）、制御本体部１０１は風呂自動運転スイッチ１０５や、浴室リモコン装置１０３の図示しない追焚スイッチなどが操作されているか否かを判別する（ステップ２）。
【００２６】これらのスイッチが操作されている場合には、風呂が使用中であると判断して、洗浄モードをキャンセルするとともに、表示部１０９に風呂使用中である旨が表示される（ステップ３）。これに対して、風呂自動運転スイッチ１０５等の他のスイッチが操作されていない場合には、制御本体部１０１は、水量サーボ弁３９を全開にするとともに、蓋センサ９３の検出出力に基づいて、浴槽２に図示しない浴槽蓋が載置されているか否かを判別する（ステップ４）。」
　
（１ｅ）「【００２９】・・・、所定時間Ｔ０が経過すれば、浴槽２内に残水がないと判断し、予備すすぎモードに移行する（ステップ１０）。
【００３０】この予備すすぎモードでは、制御本体部１０１は、給湯器付風呂釜２０の給湯回路３０のバイパス弁３５を閉じ、洗浄コントローラ６１は電磁弁８２を開き、洗浄ノズル４ａに通じる洗浄三方弁６４を洗浄配管１８ａ側に切り替え、さらに、洗剤二方弁６２を閉じる。給湯回路３０における入水路３２からの水は、熱交換器３１、出湯路３３を通り、縁切りユニット８０を介して洗浄ユニット６０へと流れる。このとき、
洗浄コントローラ６１は、水量センサ８１の検出値に基づいて、カラン４１等の他栓の使用を検知した場合には、洗浄動作を待機状態とする。また、この予備すすぎモードでは、水量センサ８１で検知される洗浄ユニット６０を流れる湯水が、常に一定の水量（たとえば５リッタ／分）となるように水量サーボ弁６５の開度を調整する
【００３１】省略。
【００３２】こうして、給湯回路３０から出た温水は、出湯路３３から洗浄三方弁６４を介し、ベンチュリ６３に至る。この時、洗剤二方弁６２は閉じられているので、すすぎ水として温水のみが洗浄配管１８ａを通り洗浄ノズル４ａから噴射される。これにより、浴槽１の周壁２ａに付着している湯垢が予備的に洗浄される。・・・
【００３３】省略。
【００３４】次に、
洗浄コントローラ６１は、現在設定されているのが、「標準モード」、「節約洗浄モード」、「念入り洗浄モード」のいずれであるかを判別した後（ステップ１３）、水量サーボ弁６５の開度を調整して、給湯器付風呂釜２０側から所定の水量（たとえば５リッタ／分）が流出するようにするとともに、洗剤二方弁６２を開く。これにより、給湯器付風呂釜２０からの湯水がベンチュリ６３を通過する際に生じる負圧によって、洗剤タンク９１に溜められている洗剤が湯水と混合された後、洗浄配管１８ａを通って洗浄ノズル４ａから噴射され、浴槽２の周壁２ａに付着している湯垢が、洗剤混じりの洗浄液によって洗浄される
【００３５】省略。
【００３６】省略。
【００３７】次いで、洗浄コントローラ６１は、すすぎモードに移行する。このすすぎモードでは、まず洗浄ノズル４ａによるすすぎ動作１（ステップ１９）が行われる。このすすぎ動作１はステップ１０で説明した場合と同様であるからここでは詳しい説明は省略する。そしてこのすすぎ動作１による浴槽洗浄が所定時間Ｔ３（たとえば、３分）継続されたあと（ステップ２０）、引き続いて洗浄三方弁６４をすすぎノズル４ｂに連通するすすぎ配管１８ｂ側に切り替えることにより、すすぎノズル４ｂからすすぎ水として湯水のみが、浴槽に載置されている図示しない浴槽蓋に対して噴射されるすすぎ動作２（ステップ２１）が行われる。このときのすすぎ水の水量は水量サーボ弁６５により、例えば、１０リッタ／分に調整する。これにより、浴槽蓋に残った洗浄液が完全に洗い流される。
【００３８】そして、このすすぎ動作２が所定時間Ｔ４（たとえば、３分）継続された後（ステップ２２）、洗浄三方弁６４を閉じて洗浄動作は終了する。」
　
（１ｆ）【図１】には，給湯回路３０の出湯路３３と，洗浄配管１８ａ及びすすぎ配管１８ｂとが配管（以下，「洗浄管」という。）によって接続され，該洗浄管に電磁弁８２と洗浄管を流れる湯水の流量を制御する水量サーボ弁６５と洗浄管を流れる湯水の流量を検出する水量センサ８１とが設けられていることが記載されている。
 　　 
　上記記載事項（１ａ）〜（１ｆ）及び図面の記載からみて，刊行物１には，次の発明が記載されているものものと認められる。 
「浴槽２に設けた洗浄ノズル４ａに連通する洗浄配管１８ａと浴槽２に設けたすすぎノズル４ｂに連通するすすぎ配管１８ｂとを，洗浄管を介して，入水路３２からの水を沸かしてカラン４１に給湯する給湯回路３０の出湯管３３に接続し，上記給湯回路３０から供給される湯水に洗剤を混合した洗剤液を上記洗浄ノズル４ａから噴射させるよる洗浄モードと，上記湯水をすすぎノズル４ｂから噴射させるすすぎモードを含む浴槽洗浄運転を行う浴槽自動洗浄浴槽において，
　上記洗浄管の流路を開閉するための電磁弁８２と，洗浄管を流れる湯水の流量を制御する水量サーボ弁６５と，洗浄管を流れる湯水の流量を検出する水量センサ８１とを備え，
　上記水量センサ８１の検出値に基づいて，上記カラン４１等の他栓の使用を検知した場合には，上記開閉弁を閉じて浴槽洗浄運転を待機させる浴槽自動洗浄浴槽。」（以下「刊行物１記載の発明」という。）
　
（２）刊行物２
　原査定の拒絶の理由に引用され，本願出願前に頒布された刊行物である，特開２００７−８９７４４号公報（以下，「刊行物２」という。）には，以下の事項が記載されている。（下線は，当審にて付与。）
（２ａ）「【請求項３】
　入水路から流入した水を加熱して出湯路から出湯させる給湯機と、
　浴槽に設けられて洗浄水又はすすぎ水を噴射する洗浄ノズル、前記給湯機の出湯路と前記洗浄ノズルを接続する洗浄水供給管、及び前記洗浄水供給管に洗剤を供給する洗剤供給部を備えた浴槽洗浄ユニットと、
からなる浴槽洗浄装置であって、
　前記給湯機は、前記入水路に流入する水の流量を計測するための熱源水量センサと、前記入水路に流入する水の流量を調整するための熱源流量調節弁とを備え、
　前記浴槽洗浄ユニットは、前記洗浄水供給管に設けられていて前記洗浄水供給管内の流路を開閉するための洗浄ユニット開閉弁と、前記洗浄水供給管に設けられていて前記洗浄水供給管内を流れる水の流量を計測する洗浄ユニット水量センサと、前記洗浄ユニット水量センサを流れる水の流量と予め設定されている設定流量との差が所定流量以上になれば、前記洗浄ユニット開閉弁を一時閉成する他栓判定処理手段とを備えていることを特徴とする浴槽洗浄装置。
【請求項４】
　前記他栓判定手段は、前記洗浄ユニット水量センサを流れる水の流量と予め設定されている設定流量との差が所定流量以上になれば、前記洗浄ユニット水量センサを流れる水の流量と予め設定されている設定流量との差が所定流量よりも小さくなるように前記熱源流量調節弁を制御し、前記熱源流量調節弁を調整しても前記洗浄ユニット水量センサを流れる水の流量と予め設定されている設定流量との差が所定流量以上であれば、前記洗浄ユニット開閉弁を一時閉成することを特徴とする、請求項３に記載の浴槽洗浄装置。
【請求項５】
　前記他栓判定処理手段は、前記洗浄ユニット開閉弁を一時閉成した後、前記熱源水量センサが当該センサを流れる水を検出しなくなった場合には、前記洗浄ユニット開閉弁を開成することを特徴とする、請求項１、２、３又は４のいずれかに記載の浴槽洗浄装置。」
　
（２ｂ）「【００１８】
　図１は本発明の実施例１による浴槽洗浄装置を示す概略構成図である。この
浴槽洗浄装置は、浴槽１１の洗浄を行なう浴槽洗浄ユニット１２と、給湯機１３（熱源）とから構成されている。給湯機１３は、上水道からの入水を沸かしてカラン１４に給湯するためのもの
熱交換器１５の入水側には、上水道からの水が流れる入水路１７が接続され、熱交換器１５の出湯側には、熱交換器１５で加熱された湯が流れる出湯路１８が接続されている。さらに、入水路１７と出湯路１８との間は、熱交換器１５をバイパスするようにしてバイパス路１９が設けられている
【００１９】
　
入水路１７のバイパス路１９が分岐している位置よりも上流側には、上水道から流入する水の流量を調整するための熱源流量調節弁２０と、上水道から流入する水の流量を計測するための熱源水量センサ２１が設けられている
【００２０】
　しかして、この給湯機１３においては、熱源流量調節弁２０によって上水道からの入水流量が制限されており、カラン１４が閉じられているときにはガスバーナー１６の種火（図示せず）だけが燃焼している。そして、カラン１４が開かれると、ガスバーナー１６が燃焼してカラン１４から出湯される。すなわち、カラン１４が開かれると、入水路１７、出湯路１８及びバイパス路１９に水が流れる。水量センサ２２が、熱交換器１５に最低作動流量以上の水が流れたことを検知すると、ガスバーナー１６が点火され、熱交換器１５を通過する際にガスバーナー１６で加熱された湯がカラン１４から吐出される。
【００２１】
　また、カラン１４から出湯される湯の出湯温度は予めリモコン２７によって設定されており、カラン１４から出湯される湯は、各温度センサ２３、２５、２６の検知温度を参照しながら、ガスバーナー１６の燃焼号数や熱交換器１５に流れる水とバイパス路１９に流れる水の分配比などを調整することにより設定温度となるように調整される。
【００２２】
　なお、出湯路１８の末端にはシャワーヘッドなどがつながっていてもよい。また、図１には示していないが、給湯機１３は風呂釜の機能も備えていてもよい。すなわち、給湯機１３で加熱した湯を浴槽１１のバスアダプター２８から浴槽１１内に落とし込む湯張り機能や、浴槽１１内の湯を循環させて追い焚きを行なう追い焚き機能、浴槽１１内の湯温をほぼ一定温度に保つ保温機能、浴槽１１内の水位をほぼ一定高さに保つ保水機能なども備えていてもよい。
【００２３】
　
浴槽洗浄ユニット１２は、浴槽１１の底面などに取り付けられた洗浄ノズル２９を備えており、洗浄ノズル２９には、バイパス路１９との合流点とカラン１４との中間において出湯路１８から分岐された洗浄水供給管３０が接続されている。よって、浴槽洗浄ユニット１２と給湯機１３とは、洗浄水供給管３０によって洗浄水の給水経路がつながっている。洗浄水供給管３０には、給湯機１３側から順に逆止弁３１、洗浄水供給管３０を開閉するための洗浄ユニット開閉弁３２が設けられている
【００２４】
　浴槽洗浄ユニット１２は、洗剤供給部を有している。すなわち、浴槽洗浄ユニット１２は、浴槽洗浄用の洗剤３４を貯留しておくための洗剤タンク３５を備えており、一方、洗浄水供給管３０の途中にはベンチュリー管３６が設けられている。洗剤タンク３５の底面に設けられた洗剤供給口には洗剤供給管３７の一端が接続されており、他端はベンチュリー管３６の側面でベンチュリー管３６の内部に向けて開放されている。洗剤供給管３７には、電磁開閉弁又は流量調節弁からなる洗剤供給弁３８が設けられている。なお、洗剤タンク３５には、上面の蓋３９をあければ洗剤３４を供給することができる。浴槽１１底面の排水口に接続されている排水管４０には、排水口を開閉するための排水電磁弁４１が設けられている。
【００２５】
　浴槽洗浄ユニット１２及び給湯機１３は、それぞれ浴槽洗浄ユニット１２を制御するためのコントローラ４２と、給湯機１３を制御するためのコントローラ４３を有している。両コントローラ４２、４３にはリモコン２７が接続されており、リモコン２７にはカラン１４から出湯される湯の温度を調整する機能のほか、浴槽洗浄運転を開始させるための洗浄運転スイッチ４４が設けられている。
【００２６】
　図２は浴槽洗浄ユニット１２のコントローラ４２の構成を示すブロック図である。コントローラ４２はマイコン（ＣＰＵ）やメモリによって構成されており、機能的には判定処理部４５、タイマ４６、他栓判定処理手段４７よりなる。コントローラ４２は、リモコン２７の洗浄運転スイッチ４４からオン信号を受け取ると、排水電磁弁４１、熱源流量調節弁２０、洗浄ユニット開閉弁３２、洗剤供給弁３８などを制御しながら、後述のようにして浴槽洗浄運転を行なう。特に、他栓判定処理手段４７は、判定処理部４５を介して熱源流量調節弁２０を制御することにより給湯機１３から洗浄水供給管３０に流れる流量が所定流量Ｑｏとなるように調整した後、熱源水量センサ２１によって給湯機１３の流量（上水道から流入する水の流量）Ｑｎを監視することにより他栓（カラン１４）の使用を監視している。そして、他栓使用を検知した場合には、洗浄動作やすすぎ動作を中断させ、洗浄不良が起きないようにしている。」
　
（２ｃ）「【実施例３】
【００５１】
　次に、実施例３による浴槽洗浄装置について説明する。実施例３の浴槽洗浄装置は、図５に示した実施例２の浴槽洗浄装置と同じ構成を有しているので、実施例３の浴槽洗浄装置の構成は図示を省略する。同様に、実施例３における浴槽洗浄ユニット１２のコントローラ４２の構成も、図６に示した実施例２のコントローラ４２と同じであるので、図示を省略する。
【００５２】
　図９、図１０及び図１１は、実施例３の浴槽洗浄装置における浴槽洗浄運転の動作を表わしたフロー図である。図９、図１０及び図１１に示すフロー図も、図３及び図４に示した実施例１のフロー図と同じ処理については同一のステップ番号を付している。図９、図１０及び図１１に示した実施例３のフロー図で実施例１の処理と異なっている点は、図３及び図４のステップＳ１１とＳ１９に相当する部分である。以下、実施例３における浴槽洗浄運転を説明する。
【００５３】
　ステップＳ１〜Ｓ６については、実施例１の場合と同様である。浴槽１１内の残り湯が排水された後、タイマ４６がカウントを開始して洗浄動作を開始すると（ステップＳ７）、洗浄ユニット開閉弁３２を開く（ステップＳ８）。ついで、
熱源水量センサ２１の計測値Ｑｎをフィードバックさせながら熱源流量調節弁２０を制御し、上水道から入水路１７に流入する水の流量が所定流量Ｑｏとなるように調整する
【００５４】
　こうして洗浄動作を開始した後、洗浄ユニット水量センサ３３によって洗浄水供給管３０に流れる水の流量がほぼＱｏに保たれているか監視する（ステップＳ４１）。すなわち、洗浄ユニット水量センサ３３で計測されている流量Ｑｓが、所定流量Ｑｏに対して、
　　　Ｑｏ−δ≦Ｑｓ≦Ｑｏ＋δ　　　…（１）式
を満たしているかを監視している。ここで、δは洗浄ユニット水量センサ３３の計測誤差や洗浄水供給管３０を流れる水の自然な変動量などを考慮して決められている。
【００５５】
　洗浄ユニット水量センサ３３の計測流量Ｑｓが上記（１）式を満たさなくなった場合には、カラン１４が開かれたと判断される。よって、その場合には洗浄ユニット水量センサ３３の計測値Ｑｓを熱源流量調節弁２０にフィードバックさせることにより、洗浄水供給管３０に流れる流量Ｑｓが上記（１）式の範囲内となるように熱源流量調節弁２０を制御する（ステップＳ４２）。
【００５６】
　こうして、
洗浄水供給管３０に流れる水の流量がほぼＱｏとなるように再調整された場合（ステップＳ４３でＹＥＳの場合）には、カラン１４が開かれていても洗浄動作に支障がないので、そのまま洗浄動作を継続する
【００５７】
　これに対し、
熱源流量調節弁２０を調整しても洗浄水供給管３０に流れる水の流量がほぼＱｏにならない場合（ステップＳ４３でＮＯの場合）には、タイマ４６のカウントを一時停止すると共に洗浄ユニット開閉弁３２と洗剤供給弁３８を一時的に閉じて洗浄動作を中断する（ステップＳ１２、Ｓ１３）。洗浄動作を中断した場合には、熱源水量センサ２１の計測値Ｑｎを監視して（ステップＳ１４）カラン１４が閉じられるのを待つ。熱源水量センサ２１の計測値Ｑｎがほぼゼロとなってカラン１４が閉じられたと判断したら、一時停止していたタイマ４６のカウントを再開する
 　　 
　上記記載事項（２ａ）〜（２ｃ）及び図面の記載からみて，刊行物２には，次の発明が記載されているものと認められる。 
「浴槽に取り付けられた洗浄ノズル２９に接続する洗浄水供給管３０を上水道からの水を熱交換加熱してカラン１４で使用される給湯機１３の出湯路１８に接続し，出湯路１８から供給される湯水に洗剤を混合した洗剤液を上記洗浄ノズル２９から浴槽内に向けて噴射させる洗剤動作と，上記湯水を上記洗浄ノズル２９から浴槽内に向けて噴射させるすすぎ動作とを含む浴槽洗浄運転を行う浴槽自動洗浄システムにおいて，
　洗浄水供給管３０には，洗浄水供給管３０の流路を開閉するための洗浄ユニット開閉弁３２と洗浄水供給管３０を流れる湯水の流量を計測する洗浄ユニット水量センサ３３が設けられ，
　洗浄ユニット水量センサ３３の検出値に基づいてカラン１４が開かれたと判断された場合には，上水道から流入する水の流量を調整するための熱源流量調節弁２０を制御して洗浄ユニット水量センサ３３の流量が浴槽洗浄運転に必要な流量となるようにして，カラン１４の使用と浴槽洗浄運転を同時に行うように制御し，
　熱源流量調節弁２０を制御しても洗浄ユニット水量センサ３３の流量が浴槽洗浄運転に必要な流量とならない場合は，洗浄ユニット開閉弁３２を閉じて洗浄動作を中断し，洗浄動作を中断した場合には，給湯機１３において上水道から流入される水量を計測する熱源水量センサ２１の計測値を監視して，この熱源水量センサ２１の計測値がほぼゼロになったら，洗浄ユニット開閉弁３２を開いて洗浄動作を再び継続する浴槽自動洗浄システム。」（以下，「刊行物２記載の発明」という。）
　
　
第４　当審の判断
１．本願発明と刊行物１記載の発明との対比
　本願発明と刊行物１記載の発明とを対比すると，
　刊行物１記載の発明の「自動洗浄浴槽」は，本願発明の「浴槽自動洗浄システム」に相当しており，以下同様に，
「洗浄ノズル４ａ，すすぎノズル４ｂ」は「洗浄ノズル」に，
「洗浄配管１８ａ，すすぎ配管１８ｂ及び洗浄管」は「洗浄管」に，
「給湯回路３０」は「熱源機」に，
「カラン４１等」は「給湯栓」に，
「洗浄モード」は「洗剤洗浄工程」に，
「すすぎモード」は「すすぎ工程」に，
「電磁弁８２」は「開閉弁」に，
「水量サーボ弁６５」は「水量制御弁」に，
「水量センサ８１」は「水量センサ」に，
　それぞれ相当している。
　
　そして，刊行物１記載の発明の「水量センサ８１の検出値に基づいて，カラン４１等の他栓の使用を検知した場合には，浴槽洗浄運転を待機させる」制御と，
　本願発明の「給湯栓が開かれ他栓使用されることにより，水量センサの計測流量が浴槽洗浄運転に必要な流量として設定される洗浄流量未満となった場合は，水量制御弁の開度を大きくして水量センサの計測流量が洗浄流量となるときは他栓使用と浴槽洗浄運転を同時に行うように制御」し，「水量制御弁を最大開度にしても水量センサの計測流量が洗浄流量未満であるときは開閉弁を閉じて浴槽洗浄運転を待機させ，この浴槽洗浄運転を待機している間は，熱源機において上水道から流入される水の流量を計測するために設けられた熱源水量センサの計測流量を監視して，この熱源水量センサの計測流量が設定流量未満に減少した時点で，開閉弁を開いて浴槽洗浄運転を再開させて他栓使用と浴槽洗浄運転を同時に行わせるように制御」し，「設定流量は，他栓使用されていても浴槽洗浄に必要な最小限の流量の湯又は水が洗浄管に供給できるようになる給湯栓での湯又は水の使用量」とするという制御は，
　ともに，「水量センサの計測流量に基づいて，他栓の使用を検知した場合には，浴槽洗浄運転に支障が無いように制御する」という点において共通している。
　
　したがって，両者は，以下の点で一致している。
「浴槽内に設けた洗浄ノズルに接続する洗浄管を上水道からの水を熱交換加熱して給湯栓で給湯使用される熱源機に接続し，上記熱源機側から供給される湯又は水に洗剤を混合した洗剤液を上記洗浄ノズルから浴槽内に向けて噴射させる洗剤洗浄工程と，上記湯又は水を上記洗浄ノズルから浴槽内に向けて噴射させるすすぎ工程とを含む浴槽洗浄運転を行う浴槽自動洗浄システムにおいて，
　上記洗浄管には，洗浄管の流路を開閉するための開閉弁と，洗浄管を流れる湯又は水の流量を設定するための水量制御弁と，洗浄管を流れる湯又は水の流量を計測するための水量センサとが設けられ，
水量センサの計測流量に基づいて，他栓の使用を検知した場合に，浴槽洗浄運転に支障が無いように制御する制御手段を備える，
　浴槽自動洗浄システム。」
　
　そして，以下の点で相違している。
（相違点）
　水量センサの計測流量に基づいて，他栓の使用を検知した場合に，浴槽洗浄運転に支障が無いようにする制御が，
　本願発明は，
「給湯栓が開かれ他栓使用されることにより，水量センサの計測流量が浴槽洗浄運転に必要な流量として設定される洗浄流量未満となった場合は，水量制御弁の開度を大きくして水量センサの計測流量が洗浄流量となるときは他栓使用と浴槽洗浄運転を同時に行うようにし，
　水量制御弁を最大開度にしても水量センサの計測流量が洗浄流量未満であるときは開閉弁を閉じて浴槽洗浄運転を待機させ，この浴槽洗浄運転を待機している間は，熱源機において上水道から流入される水の流量を計測するために設けられた熱源水量センサの計測流量を監視して，この熱源水量センサの計測流量が設定流量未満に減少した時点で，開閉弁を開いて浴槽洗浄運転を再開させて他栓使用と浴槽洗浄運転を同時に行わせるようにし，
　上記設定流量は、他栓使用されていても浴槽洗浄に必要な最小限の流量の湯又は水が洗浄管に供給できるようになる給湯栓での湯又は水の使用量である」制御であるのに対して，
　刊行物１記載の発明は，
「水量センサ８１の検出値に基づいて，カラン４１等の他栓の使用を検知した場合には，浴槽洗浄運転を待機させる」制御であって，水量制御弁の開度を大きくするなどして他栓使用と浴槽洗浄運転を同時に行うものではなく，また，浴槽洗浄運転を待機させた後にどのような制御を行うのかが明らかではない点。
　
２．相違点についての判断
　刊行物２記載の発明の「洗浄ユニット水量センサ３３の検出値に基づいてカラン１４が開かれたと判断された場合」は上記相違点に係る本願発明の構成の「給湯栓が開かれ他栓使用されることにより，水量センサの計測流量が浴槽洗浄運転に必要な流量として設定される洗浄流量未満となった場合」に実質的に相当している。
　また，本願発明の「水量制御弁の開度を大きくして水量センサの計測流量が洗浄流量となるときは他栓使用と上記浴槽洗浄運転を同時に行うように制御」し，「水量制御弁を最大開度にしても水量センサの計測流量が洗浄流量未満であるときは開閉弁を閉じて上記浴槽洗浄運転を待機させ」る構成と，刊行物１記載の発明の「上水道から流入する水の流量を調整するための熱源流量調節弁２０を制御して洗浄ユニット水量センサ３３の流量が浴槽洗浄運転に必要な流量となるようにしてカラン１４の使用と浴槽洗浄運転を同時に行うように制御し，熱源流量調節弁２０を制御しても洗浄ユニット水量センサ３３の流量が浴槽洗浄運転に必要な流量とならない場合は，洗浄ユニット開閉弁３２を閉じて洗浄動作を中断」する構成とは，制御する弁は異なるものの，「弁の開閉制御により水量センサの計測流量が洗浄流量となるときは他栓使用と浴槽洗浄運転を同時に行うように制御し，弁を最大開度にしても水量センサの計測流量が洗浄流量未満であるときは開閉弁を閉じて浴槽洗浄運転を待機させる構成」においては共通している。
　
　そして，刊行物２記載の発明の「洗浄動作を中断した場合には，給湯機１３において上水道から流入される水量を計測する熱源水量センサ２１の計測値を監視して，この熱源水量センサ２１の計測値がほぼゼロになったら，洗浄ユニット開閉弁３２を開いて洗浄動作を再び継続する」構成と，本願発明の「この浴槽洗浄運転を待機している間は，熱源機において上水道から流入される水の流量を計測するために設けられた熱源水量センサの計測流量を監視して，この熱源水量センサの計測流量が設定流量未満に減少した時点で，開閉弁を開いて浴槽洗浄運転を再開させて他栓使用と浴槽洗浄運転を同時に行わせるように制御し，設定流量は，他栓使用されていても浴槽洗浄に必要な最小限の流量の湯又は水が洗浄管に供給できるようになる給湯栓での湯又は水の使用量である」という構成とは，浴槽洗浄運転を再開させる基準となる設定流量に違いはあるが，共に「浴槽洗浄運転を待機している間は，熱源機において上水道から流入される水の流量を計測するために設けられた熱源水量センサの計測流量を監視して，この熱源水量センサの計測流量が設定流量未満に減少した時点で，開閉弁を開いて浴槽洗浄運転を再開させ」るという点において，共通している。
　
　つまり，上記相違点に係る本願発明の構成は，浴槽洗浄に必要な湯又は水を洗浄管に供給できるようするために制御する弁の位置，及び，浴槽洗浄運転を再開させる基準となる設定流量に違いはあるものの，その主たる技術思想は，刊行物２記載の発明として開示されており，公知である。
　
　そして，上記刊行物２記載の発明として開示されている上記本願発明と共通する技術思想を，刊行物１記載の発明に採用することは，当業者が容易に想到できることである。
　
　ここで，上記のとおり，浴槽洗浄に必要な湯又は水を洗浄管に供給できるようするために制御する弁の位置，及び，浴槽洗浄運転を再開させる基準となる設定流量に違いがあるので，その点についてさらに検討する。
　
　制御する弁の位置は，本願発明の弁が「洗浄管に設けられた水量制御弁」であるのに対して，刊行物２記載の発明の弁が「上水道から流入する水の流量を調整するための熱源流量調節弁２０」である点で相違しているが，両者共に，洗浄管を流れる湯又は水の流量を設定するために制御されている。そして，刊行物１記載の発明は，洗浄管を流れる湯又は水の流量を設定するために「洗浄管に設けられた水量制御弁」を備えるものであるから，刊行物１記載の発明に刊行物２記載の技術思想を採用するに際して，制御する弁を「洗浄管に設けられた水量制御弁」とすることは，当業者が適宜なし得た設計事項である。
　浴槽洗浄運転を再開させる基準となる設定流量は，本願発明の設定流量が「他栓使用されていても浴槽洗浄に必要な最小限の流量の湯又は水が洗浄管に供給できるようになる給湯栓での湯又は水の使用量」であって，それに伴って，浴槽洗浄運転を再開させて他栓使用と浴槽洗浄運転を同時に行わせるように制御されるものであるのに対して，刊行物２記載の発明の設定流量が「ほぼゼロ」であって，それに伴って，浴槽洗浄運転を再開させたときには，他栓使用と浴槽洗浄運転を同時に行わせてはいないものである点で相違しているが，設定流量をどの程度とするかは，使用する給湯機の能力や，洗浄運転が不安定（他栓が使用している流用が少し増加することにより浴槽洗浄運転が頻繁に停止する可能性がある。）となることよりもできるだけ早い再開を優先するか，洗浄運転の安定した再開を優先するか等の条件に基づいて，当業者が適宜決定すべき設計事項であるから，刊行物１記載の発明に刊行物２記載の技術思想を採用するに際して，浴槽洗浄運転を再開させる基準となる設定流量を「他栓使用されていても浴槽洗浄に必要な最小限の流量の湯又は水が洗浄管に供給できるようになる給湯栓での湯又は水の使用量」とすることは，当業者が適宜なし得た設計事項である。
　
　以上のとおりであるから，上記相違点は，刊行物１記載の発明及び刊行物２記載の発明から当業者が容易になし得たものである。
　
　そして，本願発明全体の効果は，刊行物１，２記載の発明から当業者が予測し得る範囲のものであって格別なものということができない。
　したがって，本願発明は，刊行物１，２記載の発明から当業者が容易に発明をすることができたものである。 
　 
４　むすび 
　以上のとおり，本願発明は，刊行物１，２記載の発明から当業者が容易に発明をすることができたものであり，特許法第２９条第２項の規定により特許を受けることができないから，本願は，拒絶されるべきものである。 
　よって，結論のとおり審決する。